(57)【要約】【課題】床の縁部に沿って備えられる腰壁の当該床に面した側に必要かつ十分な換気能力を備える換気手段を設ける。【解決手段】腰壁Ｂが屋外床Ｃに面している側に開口される縦向きに長い換気装置Ａを備えており、この換気装置Ａが、換気装置Ａの開口側から腰壁Ｂの内奥側に向けて傾斜状に起立される複数枚の上下に面を向けた傾斜プレート４２を所定間隔毎に備えており、互いに隣り合う傾斜プレート４２間を換気通路４３としてあると共に、傾斜プレート４２の上端部を上面側に反転させた湾曲部４２ｂとして当該換気通路４３を狭めるようにしてあり、かつ、換気通路４３の開口４３ａの開口縦寸法を１５ｍｍ以内としてある。【選択図】図２
2010106629.tif 000002
【特許請求の範囲】
【請求項１】
屋外床の縁部に沿って備えられる腰壁であって、この腰壁が前記床に面している側に開口される縦向きに長い換気装置を備えており、
この換気装置が、当該換気装置の開口側から当該腰壁の内奥側に向けて傾斜状に起立される複数枚の上下に面を向けた傾斜プレートを所定間隔毎に備えており、互いに隣り合う傾斜プレート間を換気通路としてあると共に、
前記傾斜プレートの上端部を上面側に反転させた湾曲部として当該換気通路を狭めるようにしてあり、しかも、前記換気通路の開口の開口縦寸法を１５ｍｍ以内としてあることを特徴とする腰壁。  
【請求項２】
前記換気装置が、縦向きに長く開口する長方形状の開口部を備える筒状体と、この筒状体の開口部側から当該筒状体の内奥側に向けて傾斜状に起立される上下を面とし、かつ、前記筒状体の両側板部間にわたるように所定間隔毎に備えられる複数枚の傾斜プレートとを備えており、当該互いに隣り合う傾斜プレート間が換気通路としてあると共に、
前記傾斜プレートの上端部を上面側に反転させた湾曲部として当該換気通路を狭めるようにしてあり、しかも、前記換気通路の開口の開口縦寸法を１５ｍｍ以内としてあることを特徴とする請求項１に記載の腰壁。  
【請求項３】
前記腰壁に組み付けられる換気装置における上部側に物干し用の棹掛けが組み付けてあることを特徴とする請求項１又は請求項２に記載の腰壁。
【発明の詳細な説明】
【技術分野】
【０００１】
屋外に設置される腰壁内に生ずる湿気を確実に除去し、必要に応じて天井裏の換気等をもなし得る換気能力を備える安全で、意匠性に優れた腰壁を提供する。
【背景技術】
【０００２】
バルコニーなどの屋外床や当該屋外床に備えられる腰壁等は、設置環境が苛酷であり、内部に雨水等が漏れ入ったり、しみ入ったりする可能性が高く、また、結露を生ずる等、当該腰壁内が湿潤状態におかれる不具合等を解消する有効な対策が必要とされている。
【０００３】
かかる点から、屋根裏に換気口を開口させたり、腰壁の屋外側にガラリ等の換気装置を設けて、天井懐や、腰壁等の壁内の換気が試みられている。
【０００４】
しかしながら、建造物の外観の意匠性を損なうことなく、適切な位置に、適切な換気能力を備える換気装置を設けることは難しく、屋根裏換気と腰壁の換気装置をバルコニー等の床の縁部に沿って起立されている腰壁の床に面している側に設け、当該バルコニーを含めた建物における屋外側の意匠性を損なうことなく必要かつ十分な換気装置を設けることが試みられている。
【０００５】
かかるバルコニーの床に面している側の腰壁部分に換気能力の大きな換気装置を構成した場合、バルコニーの内側から観た際の意匠性を損なうことがあり、また、当該設置換気装置におけるガラリ等を足掛かりとして幼児や児童等が腰壁によじ登り得ない構造が検討された。
【０００６】
かかる点から、上部に笠木を設け、かつ外装材の裏側に該外装材と腰壁下地材に囲まれた通気層と、小屋裏空間に連通する前後の腰壁下地材に囲まれた換気通路とを順に前後に有する腰壁の換気構造に於いて、底部が閉鎖されかつ上部が開放された箱の一側面下部に換気口が開口されると共に、複数のパンチング板が箱の相互に所定の間隙を保って下層から順に積層された換気ボックスを前記換気通路内に取付け、さらに換気ボックスの前記換気口を通気層内に開口して構成した換気口を外装材で覆った腰壁の換気構造が提案されている。（例えば、特許文献１）。
【０００７】
また、表面と裏面とが屋外空間に面し、上端面に笠木部材が取り付けられた壁体であって、該壁体は、屋外空間と壁体内空間とを区画する仕上部材と、前記仕上部材の裏側に配設されて前記仕上部材との間に壁体内通気路を形成する下地部材と、を備えると共に、前記壁体内通気路に前記下地部材側から接続された通気空間と、前記通気空間と屋外空間とを連通する通気口とを有して構成され、
前記通気口は、前記壁体の表面または裏面のうち、前記壁体内通気路よりも前記通気空間側に位置する面であって、かつ、前記笠木部材に覆われていない部位に設けられた壁体が、この通気口を下部側の外壁仕上材の上端部に、上部側の外壁仕上材の下端部を所定寸法分だけ重なるように設けるようにした手摺壁が提案されている（例えば、特許文献２）。
【特許文献１】特開２００７−１７００４２公報（図５及び図６）
【特許文献２】特開２００６−３７６７９公報（図１）
【発明の開示】
【発明が解決しようとする課題】
【０００８】
しかしながら、バルコニー等の床の縁部に沿って備えられる腰壁の、当該バルコニー等の床に面している側の腰壁面に、当該腰壁内や、軒裏空間等の必要かつ十分な換気能力を備える換気装置を、当該腰壁の意匠性を高める手段として活用したものは無かった。
【０００９】
かかる点から、バルコニー等の床の縁部に沿って備えられている腰壁における当該床に面している側の腰壁部分に、必要かつ十分な換気能力を備え、かつ、意匠性に優れ、しかも、安全な換気装置の設置が求められていた。
【課題を解決するための手段】
【００１０】
かかる課題を解決するために、この発明は、屋外床の縁部に沿って備えられる腰壁であって、この腰壁が前記床に面している側に開口される縦向きに長い換気装置を備えており、
この換気装置が、当該換気装置の開口側から当該腰壁の内奥側に向けて傾斜状に起立される複数枚の上下に面を向けた傾斜プレートを所定間隔毎に備えており、互いに隣り合う傾斜プレート間を換気通路としてあると共に、
前記傾斜プレートの上端部を上面側に反転させた湾曲部として当該換気通路を狭めるようにしてあり、しかも、前記換気通路の開口の縦幅を１５ｍｍ以内としてあることを特徴とする腰壁としてある。
【００１１】
このように腰壁の床に面している側に開口される縦向きに長い換気装置では、当該腰壁や軒裏空間等を都合よく換気し得る必要かつ十分な換気装置を、当該腰壁に容易に設置できると共に、設置された換気装置がバルコニー等の腰壁の意匠性を高めるように機能する。
【００１２】
また、このように構成される縦向きに長い換気装置では、当該換気装置の開口を上下に面を備えた横寸法の短い傾斜プレートで換気通路を構成していることから、傾斜プレートは、当該プレートの組み付け時における姿勢に維持されており、組み付け構成された換気装置における当該傾斜プレートの中央部分に外力が付加された際にも、変形を生じ難い構成とされている。
【００１３】
また、換気装置を構成する換気通路が腰壁の内奥側に向けて傾斜状に起立する傾斜プレートで構成してあり、しかも、当該換気通路の開口の縦幅を１５ｍｍ以内としてあることから、この傾斜プレートを足掛かりとして、幼児がバルコニー側から当該腰壁をよじ登る不具合を避けることができ、複数の換気通路を備える縦向きに長い換気装置をバルコニー等の床に面している側の腰壁部分に開口するように確実に設けることができる。
【００１４】
また、このように構成される換気装置は、換気通路で構成されていると共に、当該換気通路の内奥側で、換気通路を構成する傾斜プレートの上端部を上面側に反転させた湾曲部としてあって、換気プレートにそって吹き込まれた雨水が当該湾曲部で反転されて、その流れの向きが当該換気プレートにそって下降する向きに変更され、しかも、当該換気通路と同一の向きに吹き込まれる雨水を、当該湾曲部で換気通路を狭めることで効果的に防ぐことができる。
【００１５】
また、前記請求項１に記載の腰壁であって、前記換気装置が、縦向きに長く開口する長方形状の開口部を備える筒状体と、この筒状体の開口部側から当該筒状体の内奥側に向けて傾斜状に起立される上下を面とし、かつ、前記筒状体の両側板部間にわたるように所定間隔毎に備えられる複数枚の傾斜プレートとを備えており、当該互いに隣り合う傾斜プレート間が換気通路としてあると共に、
前記傾斜プレートの上端部を上面側に反転させた湾曲部として当該換気通路を狭めるようにしてあり、しかも、前記換気通路の開口の開口縦寸法を１５ｍｍ以内としてあることを特徴とする腰壁にあっては、前記特長を備える腰壁を、確実に、かつ容易に構成することができる。
【００１６】
また、前記請求項１又は請求項２に記載の腰壁にあって、前記腰壁に組み付けられる換気装置の上部側に物干し用の棹掛けが組み付けてあることを特徴とする腰壁にあっては、換気装置を腰壁に備え付けると同時に物干し用の棹掛けを備え付けることができ、棹掛けを備えた換気装置を備えた腰壁を、確実、かつ、容易に、構成することができる。
【発明の効果】
【００１７】
この発明に係る腰壁は、バルコニー等を含む建物の外観の意匠性を損なうことなく、風雨等の吹き込みを効果的に防止できると共に、当該腰壁に必要とされる換気容量を備える換気装置を容易に設けることができ、しかも、当該換気装置の換気通路を構成する傾斜プレートを足掛かりとして幼児等が腰壁にはい上がる不具合を避けることのできる換気装置を備える腰壁を効率よく構成できる特長を有している。
【発明を実施するための最良の形態】
【００１８】
以下、この発明を実施するための最良の形態に係る典型的な腰壁Ｂについて説明する。
【００１９】
図１〜図５は、この発明を実施するための最良の形態に係る腰壁Ｂであって、図１は、典型的な換気装置Ａを備えた腰壁Ｂの典型例の要部を斜め上方から見て、図２は、その要部を縦向きに断面して側方から見て、図３は、典型的な換気装置Ａの一例を棹掛け５０を組み付ける前の状態で斜め上方から見て、図４は、この典型的な換気装置Ａを腰壁Ｂに組み付ける状態の要部を斜め上方から見て示している。また、図５は換気装置Ａの要部の断面を拡大して示している。
【００２０】
この発明を実施するための最良の形態に係る腰壁Ｂは、屋外床Ｃの縁部に沿って備えられる腰壁Ｂであって、この腰壁Ｂが前記床Ｃに面している側に開口される縦向きに長い換気装置Ａを備えており、
この換気装置Ａが、当該換気装置Ａの開口側から当該腰壁Ｂの内奥側に向けて傾斜状に起立される複数枚の上下に面を向けた傾斜プレート４２を所定間隔毎に備えており、互いに隣り合う傾斜プレート４２間を換気通路４３としてあると共に、
前記傾斜プレート４２の上端部を上面側に反転させた湾曲部４２ｂとして当該換気通路４３を狭めるようにしてあり、しかも、前記換気通路４３の開口４３ａの開口縦寸法を１５ｍｍ以内としてある。
【００２１】
なお、ここで腰壁Ｂは、屋上に備えられるバルコニーの床Ｃの縁部に沿って備えられる場合は勿論のこと、上階と下階間を連続する外壁から、屋外側に持ち出されるように、例えば、上階の床の延長面に床を備えるように備えられるバルコニー等の床Ｃの縁部に沿って備えられる等、建物の屋外に備えられる各種の床Ｃの縁部に沿って備えられる全ての腰壁Ｂを対象としている。
【００２２】
また、この換気通路４３に備えられる湾曲部４２ｂは、傾斜プレート４２の上端部を上面側に反転させて構成してあればよく、これによって、傾斜プレート４２の面に付着しながら吹き上げられた雨水が当該湾曲部４２ｂで進行向きを換気通路４３の入り口側に反転されれば、いかなる形状に設けてあってもよい。また、当該湾曲部４２ｂは、換気通路４３から吹き込まれる雨水等が、傾斜プレート４２や当該湾曲部４２ｂに突き当たることなく、当該換気通路４３から腰壁Ｂ内に直接侵入するのを極力防止し得る程度に当該湾曲通路を狭めてあることが好ましい。
【００２３】
このように腰壁Ｂに縦向きに長く開口するように備えられる換気装置Ａでは、当該腰壁Ｂや軒裏空間３０等を都合よく換気し得るに必要かつ十分な換気装置Ａを、当該腰壁Ｂに容易に設置できると共に、設置された換気装置Ａがバルコニー等の腰壁Ｂの意匠性を高めるように機能する。
【００２４】
また、このように構成される換気装置Ａでは、縦向きに長い開口を上下に面を備えた横寸法の短い傾斜プレート４２で換気通路４３を構成していることから、傾斜プレート４２は、当該プレート４２の組み付け時における姿勢に維持されており、組み付け構成された換気装置Ａにおける当該傾斜プレート４２の中央部分に外力が付加された際にも、変形を生じ難い構成とされている。
【００２５】
また、換気装置Ａを構成する換気通路４３が腰壁Ｂの内奥側に向けて傾斜状に起立する傾斜プレート４２で構成してあり、しかも、当該換気通路４３の開口４３ａの開口縦寸法を１５ｍｍ以内としてあることから、この傾斜プレート４２を足掛かりとして、幼児がバルコニー側から当該腰壁Ｂをよじ登る不具合を避けることができ、複数の換気通路４３を備える縦向きに長く開口する換気装置Ａをバルコニー等の床Ｃに面している側の腰壁Ｂ部分に確実に設けることができる。
【００２６】
また、このように構成される換気装置Ａは、換気通路４３で構成されていると共に、当該換気通路４３の内奥側で、換気通路４３を構成する傾斜プレート４２の上端部を上面側に反転させた湾曲部４２ｂとしてあって、傾斜プレート４２にそって吹き込まれた雨水が当該湾曲部４２ｂで反転されて、その流れの向きが当該傾斜プレート４２にそって下降する向きに変更され、しかも、当該換気通路４３と同一の向きに吹き込まれる雨水を、当該湾曲部４２ｂで換気通路４３を狭めることで効果的に防ぐことができる。
【００２７】
また、前記構成からなる腰壁Ｂであって、前記換気装置Ａが、縦向きに長く開口する長方形状の開口部を備える筒状体４０’と、この筒状体４０’の開口部側から当該筒状体４０’の内奥側に向けて傾斜状に起立される上下を面とし、かつ、前記筒状体４０’の両側板部間にわたるように所定間隔毎に備えられる複数枚の傾斜プレート４２とを備えており、当該互いに隣り合う傾斜プレート４２間が換気通路４３としてあると共に、
前記傾斜プレート４２の上端部を上面側に反転させた湾曲部４２ｂとして当該換気通路４３を狭めるようにしてあり、しかも、前記換気通路４３の開口の開口縦寸法を１５ｍｍ以内としてある腰壁Ｂにあっては、前記特長を備える腰壁Ｂを、確実に、かつ容易に構成することができる。
【００２８】
また、前記構成からなる腰壁Ｂにあって、前記腰壁Ｂに組み付けられる換気装置Ａの上部側に物干し用の棹掛け５０が組み付けてある腰壁Ｂにあっては、換気装置Ａを腰壁Ｂに備え付けると同時に物干し用の棹掛け５０を備え付けることができ、棹掛け５０と換気装置Ａを備えた腰壁Ｂを、確実、かつ、容易に、構成することができる。
【００２９】
ついで、図１〜図５に示される典型的な図示例に係る腰壁Ｂについて具体的に説明する。
【００３０】
この図示例に係る腰壁Ｂは、屋外床Ｃの縁部に沿って備えられる腰壁Ｂであって、この腰壁Ｂが前記床Ｃに面している側に開口される縦向きに長い換気装置Ａを備えており、
この換気装置Ａが、当該換気装置Ａの開口側から当該腰壁Ｂの内奥側に向けて傾斜状に起立される複数枚の上下に面を向けた傾斜プレート４２を所定間隔毎に備えており、互いに隣り合う傾斜プレート４２間を換気通路４３としてあると共に、
前記傾斜プレート４２の上端部を上面側に反転させた湾曲部４２ｂとして当該換気通路４３を狭めるようにしてあり、しかも、前記換気通路４３の開口４３ａの開口縦寸法を１５ｍｍ以内としてある。
【００３１】
なお、説明の便宜上、腰壁Ｂであって、前記床Ｃに面している側の背面側、すなわち、前記床Ｃに面していない側を、単に、腰壁Ｂの床Ｃに面していない側として説明する。
【００３２】
かかる腰壁Ｂは、屋上や中間階に備えられる各種の屋外床Ｃの縁部、例えば、バルコニー床Ｃの縁部、ベランダ床Ｃの縁部等に備えられる腰壁Ｂ等として構成される。
【００３３】
図示例は、その典型例として建物本体（図示省略）から、例えば、持ち出し梁等の支持材１１で、当該建物本体の外側に持ちだした態様にバルコニーを構成したものであって、この持ち出し梁等の支持材１１にバルコニー梁１２等を掛け渡して、このバルコニー梁１２に柱、間柱等を立設すると共に、当該柱、間柱等の上部に笠木下地１４を横架状態に設け、また、下方に腰壁Ｂの下端部を構成するための水平下地材１５を備え付けるようにして腰壁Ｂの骨組み下地を構成するようにしてある。
【００３４】
かかる腰壁Ｂは、当該腰壁Ｂに要請される換気量、あるいは、この腰壁Ｂと当該腰壁Ｂに連通される軒裏等に要請される換気量に対応した換気装置Ａを備えて構成されるものであって、この換気に必要とされる換気装置Ａを備え付けるための取付部を前記腰壁Ｂの骨組み材や腰壁Ｂ下地材で構成する。
【００３５】
この図示例では、腰壁Ｂの防水立ち上がり位置の間柱１３、１３間に横架状に下部側フレーム下地材１７ｂを組み付け、このフレーム下地材１７ｂの上方に換気装置Ａの枠状体４０を納め入れ得る空間を構成し得るように上部側フレーム下地材１７ａを当該間柱１３、１３間に横架状に組み付けると共に、前記間柱１３との間で前記枠状体４０を挟み込むように当該各フレーム下地材１７ａ、１７ｂ間にわたって縦フレーム下地材１７ｃを組み付けて、一体に構成されている棹掛け５０と換気装置Ａの組み込み空間Ｈを構成してある。
【００３６】
なお、この図示例に係る一体に構成されている棹掛け５０及び換気装置Ａの嵌め込み状の組み付けに用いられる組み込み空間Ｈを構成する間柱１３及び各フレーム下地材１７ａ、１７ｂ、１７ｃにおける床Ｃに面している側にある面は、いずれも面一の状態に構成してある。また、当該組み込み空間Ｈを構成する各フレーム下地材１７ａ、１７ｂ、１７ｃは、当該間柱１３の奥行き幅よりも短い奥行き幅に構成してある。この結果、当該組み込み用空間Ｈを構成する各フレーム下地材１７ａ、１７ｂ、１７ｃの内奥側端面と、腰壁Ｂの床Ｃに面していない側の壁面材の腰壁内側面との間が、当該組み込み用空間Ｈと腰壁Ｂの腰壁内空間２６とを連通する間隙２６’とされている。
【００３７】
この図示例にあっては、一体に構成されている枠状体４０の上部側が棹掛け５０の組み付け開口部４５を備える組み付け部としてあり、当該枠状体４０の下部側が換気装置Ａを構成する筒状体４０’としてある。
【００３８】
より、具体的には、当該枠状体４０は、一対の同寸、同形の長方形の側板４０ａ、４０ａと、この側板４０ａ、４０ａの上端と下端とを連結して長方形の枠状体４０を構成する同寸、同形の四角形の上板４０ｂ及び下板４０ｃとを備えた構成としてあり、上部側に棹掛け５０を容易かつ確実に組み入れ得るように、各側板４０ａ、４０ａ間にわたるように仕切り板４０ｄを当該側板４０ａに直交するように組み付けてあり、この仕切り板４０ｄから上方を取付側板部４０ａ”、４０ａ”及び上板４０ｂ並びに当該仕切り板４０ｄからなる組み付け開口部４５とし、
この仕切り板４０ｄから下方を筒状体構成側板部４０ａ’、４０ａ’及び下板４０ｃ並びに当該仕切り板４０ｄからなる換気装置Ａを構成する筒状体４０’としてある。
【００３９】
すなわち、この図示例に係る換気装置Ａを構成する筒状体４０’は、互いに面を向き合い、かつ、平行な同寸、同形の長方形をなす前記取付側板部４０ａ”、４０ａ”及び、当該取付側板部４０ａ”、４０ａ”に直交するように当該取付側板部４０ａ”、４０ａ”の上端と下端とを連結する仕切り板４０ｄ並びに下板４０ｃによって構成されており、この筒状体４０’を構成する取付側板部４０ａ”、４０ａ”にわたるように所定間隔毎に、上下を面とする傾斜プレート４２を備え付けて換気装置Ａを構成してある。
【００４０】
かかる枠状体４０は、説明の便宜上、間柱１３及び各フレーム下地材１７ａ、１７ｂ、１７ｃで構成される組み込み空間Ｈに組み込まれて内奥側に位置づけられる側を当該枠状体４０の奥側部と称し、当該組み込み空間Ｈの入り口側に位置づけられる部分を手前側部と称し、同様に、筒状体４０’の組み込み空間Ｈに組み込まれて内奥側に位置づけられる側を当該筒状体４０’の奥側部と称し、当該組み込み空間Ｈの入り口側に位置づけられる部分を手前側部と称する。
【００４１】
また、説明の便宜上、各筒状体構成側板部４０ａ’、４０ａ’と仕切り板４０ｄ及び下板４０ｃで囲まれる当該手前側部の開口部を前面側開口部４４’と称し、当該筒状体４０’の奥側部にある各筒状体構成側板４０ａ’、４０ａ’と仕切り板４０ｄ及び下板４０ｃで囲まれた開口部を内奥側開口部４４”と称する。
【００４２】
かかる枠状体４０には、当該枠状体４０の外周を周回するように鍔４１が設けてある。この枠状体４０に備えられる鍔４１は、当該枠状体４０における比較的手前側部の側板４０ａ、上板４０ｂ、下板４０ｃの外周面から直角に起立した状態で、一連に連続し、しかも、同一面内に鍔面を位置づけるように設けてある。
【００４３】
かかる枠状体４０に備えられる鍔４１は、当該鍔４１を換気装置Ａの前記組み込み空間Ｈを構成する間柱１３及び各フレーム下地材１７ａ、１７ｂ、１７ｃにおける床Ｃに面した側の面に密着するように重ね合わせて、当該鍔４１の孔４１ａを用いて、釘、ビス等で当該鍔４１を間柱１３、フレーム下地材１７ａ、１７ｂ、１７ｃ等に止着して腰壁Ｂに組み付け得るようにしてある。
【００４４】
なお、雨仕舞の都合や意匠性等から、間柱１３、フレーム下地材１７ａ、１７ｂ、１７ｃ等に止着した鍔４１の面を、腰壁Ｂにおける床Ｃに面している側の壁面材で覆った際に、枠状体４０における側板４０ａ、上板４０ｂ、下板４０ｃの手前側端部が当該壁面材から僅かに突き出し得る位置に鍔４１を設けておくことが好ましい。
【００４５】
かかる枠状体４０に備えられる筒状体４０’を構成する筒状体構成側板部４０ａ’、４０ａ’及び、仕切り板４０ｄ並びに下板４０ｃによって前後に開口している縦長の空間に、傾斜プレート４２によって換気通路４３を構成してある。
【００４６】
かかる換気通路４３は、筒状体構成側板部４０ａ’と筒状体構成側板部４０ａ’との間にわたるように、上下に面を向けた状態で、所定間隔を離して、複数枚の傾斜プレート４２〜４２を平行に組み付けることによって構成される。また、この傾斜プレート４２は当該傾斜プレート４２の板面と、筒状体構成側板部４０ａ’の面とは、直角に組み付けてある。この結果、当該換気装置Ａにあっては、一対の平行に備えられる筒状体構成側板部４０ａ’に直交する向きで縦断面した際に、各傾斜プレート４２、４２間に矩形の空間が構成される。
【００４７】
この換気通路４３を構成する傾斜プレート４２は、筒状体４０’の前面開口部４４’側から、腰壁Ｂの内奥側、この図示例にあっては当該筒状体４０’における内奥側開口部４４”側に向けて漸次傾斜状に起立するように設けてある。なお、この図示例にあっては、当該傾斜プレート４２が筒状体４０’における筒状体構成側板部４０ａ’、４０ａ’及び、仕切り板４０ｄ並びに下板４０ｃで構成され空間内に都合よく納まるように構成してある。
【００４８】
この図示例において換気通路４３を構成する傾斜プレート４２は、筒状体４０’の前面側開口部４４’から腰壁Ｂの内奥側、この図示例にあっては当該筒状体４０’における内奥側開口部４４”に向けて傾斜状に起立するように設けてある板状をなす平板状部４２ａと、当該前面側開口部４４’に沿って当該平板状部４２ａの手前側端から下方に垂れるように延設されている垂設部４２ｃと、前記内奥側開口部４４”に向けて傾斜状に漸次起立するように設けてある平板状部４２ａの上端部、すなわち、奥側部を上面側に反転させた湾曲部４２ｂとしてある。このように、当該傾斜プレート４２を構成することによって、換気通路４３に吹き込まれる雨水の腰壁Ｂ内側に向けた侵入を極力防ぐことができる。
【００４９】
また、この図示例に係る換気通路４３は、当該換気通路４３の手前側部に備えられている互いに隣り合う傾斜プレート４２、４２間の開口の開口縦寸法を１５ｍｍ以内とし、互いに隣り合う傾斜プレート４２、４２間に構成される換気通路４３の通路内の上下寸法よりも狭めに構成してある。より具体的には、上側に位置づけられている傾斜プレート４２の垂設部４２ｃの下端４２ｃ’と、当該傾斜プレート４２の下方に位置づけられている傾斜プレート４２の平板状部４２ａと垂設部４２ｃの屈曲縁４２ｄとの間に構成される換気通路４３の開口４３ａの開口縦寸法を、幼児が足先を差し入れて足掛かりとして腰壁Ｂをよじ登り得ない１５ｍｍ以内となるように、傾斜プレート４２から必要幅の垂設部４２ｃを一連に屈曲構成してある。なお、この図示例にあっては、平板状部４２ａから垂設される垂設部４２ｃの垂下幅を均一にしていることから、この垂設部４２ｃの下端４２ｃ’と、当該傾斜プレート４２の下方に組み付けられる傾斜プレート４２の屈曲縁４２ｄとは平行とされ、互いに平行とされている各筒状体構成側板部４０ａ’との間に矩形の開口４３ａが構成され、この横長の矩形開口４３ａの短辺側である当該開口縦寸法が１５ｍｍ以内となるように構成してある。
【００５０】
なお、この筒状体４０’に備えられる傾斜プレート４２は、筒状体４０’の前面側開口部４４’から内奥側開口部４４”に向けて設けてあり、当該内奥側開口部４４”からはみ出さないように備え付けてある。例えば、傾斜プレート４２をほぼ１５０ｍｍの板状材で構成し、平板状部４２ａの奥行き寸法を１００ｍｍ、手前側部に１０ｍｍの垂設部４２ｃを設け、奥側部の上端部に上面側に反転する湾曲部４２ｂを４０ｍｍの範囲内で構成してある。
【００５１】
かかる傾斜プレート４２を、ほぼ７００ｍｍ〜８００ｍｍの縦向きの筒状体４０’内に、当該傾斜プレート４２における平板状部４２ａが前面側開口部４４’のなす仮想の垂直面に対して内奥側開口部４４”に向けて、ほぼ１３５度以上の傾斜角を維持するように、当該平板状部４２ａの上下を板面とするように多段状に設け、この各傾斜プレート４２、４２間を、筒状体４０’の前面側開口部４４’に備えられる換気通路４３の開口４３ａから当該筒状体４０’の内奥側開口部４４”に到る換気通路４３としてある。すなわち、筒状体４０’における前面側開口部４４’のなす仮想の面Ｙ−Ｙ’と、１３５度以上の角度ｔで交叉する仮想の面Ｘ−Ｘ’に傾斜プレート４２の平板状部４２ａが位置づけられるように、当該傾斜プレート４２を筒状体４０’の前面側開口部４４’の側から、内奥側開口部４４”の側に向けて漸次起立するように傾斜状態に設けてある。
【００５２】
かかる換気通路４３は、筒状体４０’の手前側で、垂設部４２ｃで狭められており、また、奥側部で湾曲部４２ｂで狭められている傾斜状に設けてあることから、水平向きに吹き込まれる雨水は、この換気通路４３を構成する傾斜プレート４２の面に突き当たり、傾斜プレート４２に突き当たった雨水が風圧で湾曲部４２ｂに押し込まれるものの、当該湾曲部４２ｂで、その流れの向きを反転されて当該傾斜プレート４２より内奥側開口部４４”に側に吹き入れられる不具合を生ずることは希である。
【００５３】
この結果、換気手段の各傾斜プレート４２、４２間の換気通路４３を通過した外気はおおむね雨水等を含まない状態で腰壁Ｂ内に案内される。
【００５４】
なお、当該傾斜プレート４２間の換気通路４３を抜けて筒状体４０’内に雨水が侵入した場合、当該筒状体４０’の最下段に、前記各傾斜プレート４２よりも、その奥側部分を内奥側開口部４４”に近接させるようにした長目の平板状部４２ａを備える傾斜プレート４２’設けておき、この最下段に備えられる長目の傾斜プレート４２’で、予期せずに侵入する雨水等を受けるようにしてある。
【００５５】
また、この筒状体４０’の上部側において、傾斜プレート４２を設置しようとする際に、当該設置予定傾斜プレート４２の奥側部が仕切板４０ｄに接触し、前記のように換気通路４３を構成し難い部分には、仕切板４０ｄから、この下方に位置づけられている傾斜プレート４２の屈曲縁４２ｄに向けて塞ぎプレート４２ｅを垂設状態に設け、縦向き寸法が１５ｍｍ以上の開口４３ａが筒状体４０’の手前側部に生じないように構成してある。
【００５６】
また、当該筒状体４０’の上部側に枠状体４０の取付側板部４０”、４０”と上板４０ｃと仕切板４０で構成される開口部４５に、棹掛け５０が組み付けてある。
【００５７】
この棹掛け部５０は、取付フレーム５１とアーム５２を備えており、この取付フレーム５１は、前記開口部４５に水密的に嵌め込まれて、当該開口部４５の手前側部から雨水が奥側部にしみ込まないように構成された平面視でコ字状をなすフレーム本体５１ａの手前側部に縦向きに軸孔を備える軸受け部５１ｂを備えており、この軸受け部５１ａの上部に縦向きに第一ストッパー溝５１ｃと第二ストッパー溝５１ｄを備えており、第一ストッパー溝５１ｃが開口部４５のなす面に直交する向きに、第二ストッパー溝５１ｄが当該開口部４５のなす面に、ほぼ平行に近い交叉状態に設けてある。
【００５８】
物干し棹を受けるアーム５２は、物干し棹の通し孔５２ａを備えていると共に、基部側の上下に軸受け鍔５２ｂ、５２ｂを備え、当該軸受け鍔５２ｂ、５２ｂ間に前記軸受け部５１ｂを位置づけるようにワッシャー５２ｅを介して軸受け鍔５２ｂの孔から軸受け部５１ｂの孔にボルト５２ｃを挿通して、当該アーム５２を各ストッパー溝５１ｃ、５１ｄから上方に引き上げて回動して他方のストッパー溝に落とし込み得るように緩やかにボルト５２ｃで抜け止めを防止し得るようにしてある。
【００５９】
かかる棹掛け５０を開口部４５に対し、当該棹掛け５０における平面視でコ字状をなすフレーム本体５１ａの互いに向き合っている片部間にある板部が前記開口部４５の前面側を塞ぐように、前記互いに向き合っている片部を取付側板部４０ａ”の内側面に密着させて水密状態に嵌め入れ、この状態で、当該棹掛け５０を孔５１ｅを用いてビス等で枠状体４０に一体に組み付ける。
【００６０】
このように構成される枠状体４０を、床Ｃに面している側から腰壁Ｂに組み付けて、換気装置Ａにおける開口が、床Ｃに面している側に位置づけられるようにする。
【００６１】
また、筒状体４０’の内奥側開口部４４”が腰壁Ｂの壁面材との間に、腰壁Ｂの腰壁内空間２６と換気装置Ａの換気通路４３とを連通するに必要かつ十分な間隙２６’を構成し得るように、前記組み込み空間Ｈに枠状体４０を組み入れ、鍔４１をビス、釘等で当該組み込み空間Ｈを構成する間柱１３，各フレーム下地材１７ａ、１７ｂ、１７ｃに止着する。
【００６２】
このように換気装置Ａの組み付けられた腰壁の骨組みに適宜の下地材を施し、壁面材を張り込んで、腰壁Ｂを構成する。
【００６３】
かかる腰壁Ｂは、設置される場所や目的に対応した各種の構成の腰壁Ｂとして構成されるものであって、この図示例では、持ち出し梁等の支持材１１、バルコニー梁１２等を利用して床パネル３１を張り込むと共に、当該床パネル３１上に水勾配の施された断熱パネル３２を張り込み、これを、絶縁シート３３で覆うと共にＦＲＰ防水層３４で、覆って構成した床Ｃの縁部に沿った腰壁Ｂを示している。
【００６４】
かかる屋外床Ｃの床Ｃの縁部に沿って備えられる腰壁Ｂは、当該床Ｃに面した側に、当該床Ｃに連続するように防水を兼ねた壁面材を設けてある。この図示例にあっては、前記床パネル３１上に、腰壁Ｂの柱、間柱１３等の骨組み下地に沿って起立されたクロスパネル２１（なお、ここでクロスパネルとは、所定間隔を離して並設した小幅板群に対して、交叉するように小幅板を所定間隔を離して並設し、両者の面を重ね合わせるようにして固定して構成したものであって、構成される小幅板間の空間が通気空間とされている壁下地材を云う。以下、単にクロスパネルと称する。）が腰壁Ｂの内側に透湿性シートを介在させて前記下部側フレーム下地材１７ｂ位置まで設けてあり、このクロスパネル２１面を覆うようにサイジングボード２４を前記床パネル３１上に起立するように設け、さらに、枠状体４０の下板４０ｃ面から床Ｃ部側に突設するように備えられる水切り金物２５で上部を覆うように構成し、この水切り金物２５と下板４０ｃとの間に適宜シーリングを施すようにしてある。
【００６５】
このように屋外床Ｃの勾配付き断熱パネル３２と、当該床Ｃの縁部に備えられる腰壁Ｂのサイジングボード２４面とに、床Ｃの防水構造となる、ＦＲＰ防水を現場施工で施してＦＲＰ防水層３４を設けてある。
【００６６】
なお、屋外床Ｃを構成する床パネル３１は、腰壁Ｂを構成するクロスパネル２１とサイジングボード２４の起立面から腰壁Ｂの内側に差し込まれる部分に、所定間隔毎に穴３１ａが設けてあり、軒裏空間３０と当該腰壁内空間２６とを連通状態とし、軒裏空間３０の換気を当該穴３１ａを介して腰壁Ｂに備えられる換気装置Ａで処理し得るようにしてある。なお、クロスパネル２１は当該クロスパネルが確実に所定位置に起立維持されるように前記床パネル３１に下地材１６で固定してある。
【００６７】
また壁面材の施された部分及び前記枠状体４０における鍔４１を止め付けた間柱１３、各フレーム下地材１７ａ、１７ｂ、１７ｃで囲まれた組み付け空間Ｈを除く腰壁Ｂの各面を壁面材で覆って腰壁Ｂを構成する。
【００６８】
まず、バルコニー梁１２、間柱１３、柱、笠木下地１４、下地材１５、各フレーム下地材１７ａ、１７ｂ、１７ｃ等の各腰壁下地材に防湿性シートを被装し、これに前記クロスパネル２１を止着すると共に防水シート２２で覆って、ラス仕上げでモルタル層２３を設けて、腰壁Ｂの床Ｃに面している側の面と、床Ｃに面していない側の面とを構成する。なお、このモルタル仕上げでは、モルタルと水切り金物や枠状体４０の接合面に必要に応じてシーリングを施す。また、笠木下地１４上には防水処理を施してブラケット１８を組み付け、これを利用して手摺りバー１９’を備える笠木１９を設置する。また、腰壁Ｂの下端側の下地材１５の軒天側に下地材を添装して、これに野縁３５を止着して軒天井板３６を張り込んで軒裏空間３０を構成してあって、前記軒天井板３６に到る部分まで、前記腰壁Ｂの床Ｃに面していない腰壁Ｂの壁面を構成している防水シート２２を延設し、かつ、ラスを施したモルタル層２３で仕上げてある。
【００６９】
このように構成される腰壁Ｂでは、前記腰壁骨組みや各種下地材に対して、腰壁Ｂの床に面している側と、この床に面していない側とに壁面材が備えられており、この壁面材間に腰壁内空間２６を生ずるようにしてある。この腰壁内空間２６は、必要に応じて軒裏空間３０に連通するように構成してあり、この腰壁内空間２６に換気装置Ａの換気通路４３が都合よく連通し得るように、各フレーム下地材１７ａ、１７ｂ、１７ｃで枠状体４０の組み付け空間Ｈが構成されており、しかも、この組み付け空間Ｈに、当該枠状体４０を、この腰壁内空間２６に換気装置Ａの換気通路４３が都合よく連通し得るように組み付けてある。
より具体的には、各フレーム下地材１７ａ、１７ｂ、１７ｃで構成される枠状体４０の組み付け空間Ｈにおける各フレーム下地材１７ａ、１７ｂ、１７ｃの当該枠状体４０の組み込み側と反対側にある端面と、床Ｃに面していない側に備えられる壁面材のクロスパネル２１との間、及び、筒状体４０’の内奥側開口部４４”や開口部４５の内奥側にある枠状体４０の端面と床Ｃに面していない側に備えられる壁面材のクロスパネル２１との間に間隙２６’を設けてあり、換気装置Ａの換気通路４３と腰壁内空間２６とを連通状態にしてある。
【００７０】
このように構成される腰壁Ｂでは、バルコニー等の床Ｃに面している側に縦長に開口する意匠性に優れた換気装置Ａを、当該腰壁Ｂ、軒裏空間３０等の換気に必要かつ十分な換気能力を有するものとして備え付けることができる。
【００７１】
また、棹掛けを用いる場合、アーム５２を上方に持ち上げ、当該アーム５２に備えられているストッパー片５２ｇを第二ストッパー溝５１ｄから抜き出し、ほぼ９０度回動させて当該アーム５２を腰壁Ｂの床Ｃに面している側の面から直角に突き出させた位置で、第一ストッパー溝５１ｃに落とし込み、当該アーム５２を固定状態にして用いると共に、必要が無くなった際には、同様の操作でアーム５２を腰壁Ｂの壁面に平行な状態に、ストッパー片５２ｇを第二ストッパー溝５１ｄに落とし込んで維持させることができる。
【図面の簡単な説明】
【００７２】
【図１】典型的な腰壁の要部を示す斜視図
【図２】同要部断面図
【図３】同腰壁に組み付けられる換気装置と枠状体に棹掛けを組み付ける前の斜視図
【図４】同腰壁に換気装置と棹掛けを組み付ける状態の斜視図
【図５】同換気装置の要部の拡大断面図
【符号の説明】
【００７３】
Ａ  換気装置
Ｂ  腰壁
Ｃ  床
４２  傾斜プレート
４２ｂ  湾曲部
４３  換気通路
４３ａ  開口
【図１】
2010106629.tif 000003
【図２】
2010106629.tif 000004
【図３】
2010106629.tif 000005
【図４】
2010106629.tif 000006
【図５】
2010106629.tif 000007